(57)【要約】      （修正有）【課題】配電盤内の補助リレーの動作状況を監視する必要が生じた場合、既存の補助リレー装着板に装着できる、増幅補助接点ユニットを提供し、別の場所に追加用の補助リレーを設置せずに済むことを目的とする。【解決手段】常閉可動接点と常開可動接点とが連動する既設の補助リレーと、第一のトランジスタと第二のトランジスタとを搭載したアダプタベースを備え、前記常閉可動接点のオン状態では前記第一のトランジスタがオンしてレベル“Ｈ”出力を、前記常開可動接点のオフ時には前記第二のトランジスタがオフしてレベル“Ｌ”出力を得るとともに、前記常閉可動接点のオフ時に前記第一のトランジスタがオフしてレベル“Ｌ”出力を、前記常開可動接点のオン時に前記第二のトランジスタがオンしてレベル“Ｈ”出力をそれぞれ得られるようにし、前記アダプタベースと前記既設の補助リレーとを、既設の補助リレー装着板に装着することを特徴とする。【選択図】図１
2006164664.tif 000002
【特許請求の範囲】
【請求項１】
常閉可動接点と常開可動接点とが連動する既設補助リレーと、第一のトランジスタと第二のトランジスタとを搭載したアダプタベースを備え、前記常閉可動接点のオン状態では前記第一のトランジスタがオンしてレベル“Ｈ”出力を、前記常開可動接点のオフ時には前記第二のトランジスタがオフしてレベル“Ｌ”出力を得るとともに、前記常閉接点のオフ時に前記第一のトランジスタがオフしてレベル“Ｌ”出力を、前記常開可動接点のオン時に前記第二のトランジスタがオンしてレベル“Ｈ”出力をそれぞれ得られるようにし、前記アダプタベースと前記既設補助リレーとを、既設の補助リレー装着板に装着し、該補助リレーによって所定の機器や駆動機構を制御することを特徴とする増幅補助接点ユニット。
【請求項２】
請求項１において、前記アダプタベースに前記既設補助リレーと前記第一および第二のトランジスタとの組み合わせを複数個設置したことを特徴とする増幅補助接点ユニット。
【請求項３】
請求項１または２において、前記補助リレーを前記トランジスタ設置のコネクタにピン端子接続し、該コネクタを既設の補助リレー装置板にピン端子接続したことを特徴とする増幅補助接点ユニット。
【発明の詳細な説明】
【技術分野】
【０００１】
本発明は配電盤に設置された補助リレーに係わり、リレー接点の増設が必要になった際、既存の補助リレー装着板に挿入して同一機能のリレー接点を増設したものと等価な、増幅補助接点ユニットに関するものである。
【背景技術】
【０００２】
変電所や受給電所において設置される配電盤内には、機器や駆動機構等の補助リレーと称する制御用リレーが多数装着されており、前記機器や駆動機構等の動作状況を確認したい場合には、その代用として前記補助リレーの動作を監視することが行われる。最新型の配電盤では、この種の機能を持たせた仕様となっているが、旧型ではこの機能がなかった。
【０００３】
既設の旧型配電盤に対して各補助リレーの動作状況を監視したい場合には、補助リレー毎の動作に同期したオン・オフ信号を得る必要がある。このため、配電盤内の空きスペースを利用して各々同一の機能を有した補助リレーを増設し、互いに電気的接続を行って同一のオン・オフ信号を得る方法がとられていた。そしてこれらの信号をパソコンに取り込み、所定の信号処理を行って監視するものである。
【０００４】
しかしながらこの方法では、増設場所の確保や増設用補助リレーの設置レイアウト検討を要し、配電盤の改造も大がかりとなる問題があった。
【発明の開示】
【発明が解決しようとする課題】
【０００５】
本発明は前記問題に鑑みなされたもので、配電盤内の補助リレーの動作状況を監視する必要が生じた場合、既存の補助リレーとともに既存の補助リレー装着板に装着できる、増幅補助接点ユニットを提供し、別の場所に追加用の補助リレーを設置せずに済むことを目的とするものである。
【課題を解決するための手段】
【０００６】
本発明に係わる増幅補助接点ユニットは、常閉可動接点と常開可動接点とが連動する既設の補助リレーと、第一のトランジスタと第二のトランジスタとを搭載したアダプタベースを備え、前記常閉可動接点のオン状態では前記第一のトランジスタがオンしてレベル“Ｈ”出力を、前記常開可動接点のオフ時には前記第二のトランジスタがオフしてレベル“Ｌ” 出力を得るとともに、前記常閉可動接点のオフ時に前記第一のトランジスタがオフしてレベル“Ｌ”出力を、前記常開可動接点のオン時に前記第二のトランジスタがオンしてレベル“Ｈ”出力をそれぞれ得られるようにし、前記アダプタベースと前記既設の補助リレーとを、既設の補助リレー装着盤に装着し、該補助リレーによって所定の機器や駆動機構を制御することを特徴とするものである。
【発明の効果】
【０００７】
したがって本発明によれば、トランジスタ回路を付属したアダプタベースを介し、既設の補助リレーを既設の補助リレー装着板に挿入するようにしたため、設置に伴うスペースを別の部位に準備しないで、補助リレーを増設したものと同じ機能を有する増幅補助接点ユニットを簡単に構成できる。
【発明を実施するための最良の形態】
【０００８】
以下、本発明の好適な実施形態について、添付図面を参照して詳細に説明する。図１から図４は、本発明に係わる増幅補助接点ユニットの実施例を示すものである。
【実施例】
【０００９】
図４は本発明の対象となる配電盤において、その扉を開いて補助リレー装着板が設置されている付近の内部を見た状態の図である。
【００１０】
１は配電盤、２０は補助リレー装着板である。補助リレー装着板２０には、複数の補助リレーが設置され、これらは出力端を介して所定の機器や駆動機構等を制御するために使用されている。
【００１１】
図２は本発明の増幅補助接点ユニットの回路図である。
【００１２】
１はアダプタベースで、補助リレーＲＹとトランジスタＴＲを接続した複数の称ユニット群Ｂ１〜Ｂ４を設置している。２は補助リレーＲＹが開閉する主電源、３はトランジスタＴＲの定電圧電源であり、それぞれ小ユニット群Ｂ１〜Ｂ４に接続されている。
【００１３】
図３は小ユニット群の1個分、Ｂ１の接続詳細図である。
【００１４】
小ユニットＢ１は、補助リレーＲＹとトランジスタＴＲ１、ＴＲ２とから構成されおり、補助リレーＲＹは常閉可動接点ＲＹａと、常開可動接点ＲＹｂと、固定接点５ａ〜６ｂとを有しており、３本のピン端子ＰＢには固定接点５ａ〜６ｂが接続されている。補助リレーＲＹは、常閉可動接点ＲＹａと常開可動接点ＲＹｂとが互いに連動し、一方がオンしているときは他方がオフするタイプである。
【００１５】
トランジスタＴＲ１及びトランジスタＴＲ２のコレクタは定電圧電源３に、それぞれのエミッタは出力端８ａ、８ｂに接続され、トランジスタＴＲ１のベースは固定接点６ａ側に、トランジスタＴＲ２のベースは固定接点６ｂ側にそれぞれ接続されている。また、トランジスタＴＲ１及びトランジスタＴＲ２はコネクタＣＮ上に設けられている。
【００１６】
ＰＡはアダプタベース１に設けたコネクタ端子に嵌合されるピン端子で、一方はライン４を介して主電源２に、他方は出力端７ａ、７ｂにそれぞれ接続されている。
【００１７】
図の状態において、常閉可動接点ＲＹａはオンしているため、出力端７ａは主電源線２と同電位となり、トランジスタＴＲ１はオンして出力端８ａはレベル“Ｈ”である。このとき常開可動接点ＲＹｂはオフ状態であり、トランジスタＴＲ２はオフして出力端８ｂはレベル“Ｌ”である。このため、補助リレーＲＹの常閉可動接点ＲＹａと、常開可動接点ＲＹｂのオン・オフ状態に対応して、出力端８ａ、８ｂに“Ｈ”、“Ｌ”信号を得ることができる。したがってこれらの“Ｈ”、“Ｌ”信号をパソコンに取り込み、制御室において各機器や駆動機構等の動作状況を監視することができる。
【００１８】
図１は図２の回路を実装した増幅補助接点ユニットの側面図である。
【００１９】
ＢＳはベースソケットで、配電盤の補助リレー装着盤２０に設置されている。増幅補助接点ユニットに設けたＣＮはコネクタで、下側がＢＳのピン端子ＰＡに接続され、上側が補助リレーＲＹのピン端子ＰＢに嵌合されるようになっており、アダプタベース１に搭載されている。補助リレーＲＹのピン端子ＰＢをコネクタＣＮに、端子ＰＡをベースソケットＢＳに挿入すると、図２、図３で示した回路状態が形成される。
【００２０】
以上のように、常閉可動接点と常開可動接点とが連動する補助リレーと、第一のトランジスタと第二のトランジスタとを搭載したアダプタベースを備え、前記常閉可動接点のオン状態では前記第一のトランジスタがオンしてレベル“Ｈ”出力を、前記常開可動接点のオフ時には前記第二のトランジスタがオフしてレベル“Ｌ”出力を得るとともに、前記常閉接点のオフ時に前記第一のトランジスタがオフしてレベル“Ｌ”出力を、前記常開可動接点のオン時に前記第二のトランジスタがオンしてレベル“Ｈ”出力をそれぞれ得られるようにし、前記アダプタベースと前記補助リレーとを、既設の補助リレー装着板に装着し、該補助リレーによって所定の機器や駆動機構を制御する増幅補助接点ユニット，前記アダプタベースに前記補助リレーと前記第一および第二のトランジスタとの組み合わせを複数個設置した増幅補助接点ユニット，更には前記補助リレーを前記トランジスタ設置のコネクタにピン端子接続し、該コネクタを既設の補助リレー装置板にピン端子接続した増幅補助接点ユニットが構成される。
【００２１】
したがって本発明によれば、設置に伴うスペースを別の部位に準備しないで、同一の機能を有する補助リレーを増設したものと等価な状態を、増幅補助接点ユニットにより簡単に構成できる利点がある。
【図面の簡単な説明】
【００２２】
【図１】本発明の増幅補助接点ユニットの側面図。
【図２】本発明の増幅補助接点ユニットの回路図。
【図３】小ユニット群１個分の接続詳細図。
【図４】配電盤の扉を開いて内部の補助リレー装着盤付近を見た状態の外観図。
【符号の説明】
【００２３】
１…アダプタベース、２…主電源、３…定電圧電源、ＲＹ…補助リレー、ＲＹａ…常閉可動接点、ＲＹｂ…常開可動接点、ＴＲＳ…トランジスタ、８…出力端。
【図１】
2006164664.tif 000003
【図２】
2006164664.tif 000004
【図３】
2006164664.tif 000005
【図４】
2006164664.tif 000006